(57)【要約】      （修正有）【課題】ギアの歯面に潤滑油を供給することができるようにする。【解決手段】第１ヘリカルギア１７ａ及び前記第２ヘリカルギア１６ｃを収納して支持するケースと、前記ケースの内壁と前記第２ヘリカルギアとの間に配置され、前記第１ヘリカルギアと軸方向において部分的にオーバーラップするギア１６ｂと、を有し、軸方向側面に設けられ、潤滑油が供給される凹部１６２と、凹部１６２から歯面１６１まで貫通する貫通孔１６３と、を有し、凹部１６２に供給された潤滑油を、貫通孔１６３を通じて歯面１６１まで供給できるようにする。【選択図】図６
2019015306.tif 000002
【特許請求の範囲】
【請求項１】
軸方向側面に設けられ、潤滑油が供給される凹部と、
前記凹部から歯面まで貫通する貫通孔と、を有する
ことを特徴とするギア。
【請求項２】
駆動力を伝達する第１ヘリカルギアと、
前記第１ヘリカルギアと噛み合う第２ヘリカルギアと、
前記第１ヘリカルギア及び前記第２ヘリカルギアを収納して支持するケースと、
前記ケースの内壁と前記第２ヘリカルギアとの間に配置され、前記第１ヘリカルギアと軸方向において部分的にオーバーラップするギアと、を有し、
前記第１ヘリカルギアは、ねじれ方向が前記ケース側に向かう方向になるように配置され、
前記第１ヘリカルギアと前記第２ヘリカルギアの噛合箇所が前記ギアの軸方向側面に面するように配置され、
前記ギアは、
前記第１ヘリカルギア及び前記第２ヘリカルギアに対向する前記軸方向の側面に設けられた凹部と、
前記凹部から前記ギア歯面まで貫通する貫通孔と、を有し、
前記凹部は、前記噛合箇所に向かって開口している
ことを特徴とする駆動力伝達ギア装置。
【請求項３】
請求項２において、
前記貫通孔は、前記ギアの歯底部に開口している
ことを特徴とする駆動力伝達ギア装置。
【請求項４】
請求項２又は３において、
前記第１ヘリカルギアの外周を覆うバッフルプレートを有し、
前記バッフルプレートは、第１ヘリカルギアの中心を通る水平線の上方において前記第１ヘリカルギアと前記第２ヘリカルギアとの噛合い位置に向かって延びたガイド部を有する
ことを特徴とする駆動力伝達ギア装置。
【請求項５】
請求項２〜４のいずれか１項に記載された駆動力伝達ギア装置を装備した
ことを特徴とする自動変速機。
【発明の詳細な説明】
【技術分野】
【０００１】
本発明は、車両のデファレンシャル装置に適した駆動力伝達ギア装置及びこれを含んだ自動変速機に関するものである。
【背景技術】
【０００２】
例えば前輪駆動式車両の変速機には、ベルト式無段変速機等の変速機本体と共に、デファレンシャル装置や減速機構等を共通のハウジング内に収容してユニット化することによってコンパクト化を図ったものが知られている。このハウジングの下部には、潤滑油を貯留するオイルパンが取り付けられている（特許文献１参照）。
【０００３】
また、特許文献１には、上記の構成に加えて、ファイナルギアと噛合うピニオンギアと、リダクションギア軸によってピニオンギアと一体に結合するドリブンギアとを有し、ドリブンギアとファイナルギアとが軸方向において部分的にオーバーラップする構造が開示されている。
【先行技術文献】
【特許文献】
【０００４】
【特許文献１】特開２００４−３６６３３号公報
【発明の概要】
【発明が解決しようとする課題】
【０００５】
上記のような駆動力伝達ギア装置において、各ギアを円滑に作動させて装置の性能や耐久性を高めるためには、軸受部だけでなくギアの歯面へ潤滑油を供給して、歯面どうしが円滑に摺動するようにしたい。
【０００６】
本願発明は、このような課題に鑑み創案されたもので、ギアの歯面に潤滑油を供給することができるようにした、ギア及び駆動力伝達ギア装置並びに自動変速機を提供することを目的としている。
【課題を解決するための手段】
【０００７】
（１）本発明のギアは、軸方向側面に設けられ、潤滑油が供給される凹部と、前記凹部から歯面まで貫通する貫通孔と、を有することを特徴としている。
【０００８】
（２）本発明の駆動力伝達ギア装置は、駆動力を伝達する第１ヘリカルギアと、前記第１ヘリカルギアと噛み合う第２ヘリカルギアと、前記第１ヘリカルギア及び前記第２ヘリカルギアを収納して支持するケースと、前記ケースの内壁と前記第２ヘリカルギアとの間に配置され、前記第１ヘリカルギアと軸方向において部分的にオーバーラップするギアと、を有し、前記第１ヘリカルギアは、ねじれ方向が前記ケース側に向かう方向になるように配置され、前記第１ヘリカルギアと前記第２ヘリカルギアの噛合箇所が前記ギアの軸方向側面に面するように配置され、前記ギアは、前記第１ヘリカルギア及び前記第２ヘリカルギアに対向する前記軸方向の側面に設けられた凹部と、前記凹部から前記ギア歯面まで貫通する貫通孔と、を有し、前記凹部は、前記噛合箇所に向かって開口していることを特徴としている。
【０００９】
（３）前記貫通孔は、前記ギアの歯底部に開口していることが好ましい。
【００１０】
（４）前記第１ヘリカルギアの外周を覆うバッフルプレートを有し、前記バッフルプレートは、第１ヘリカルギアの中心を通る水平線の上方において前記第１ヘリカルギアと前記第２ヘリカルギアとの噛合い位置に向かって延びたガイド部を有することが好ましい。
【００１１】
（５）本発明の自動変速機は、（２）〜（４）のいずれかの項に記載された駆動力伝達ギア装置を装備したことを特徴としている。
【発明の効果】
【００１２】
本発明によれば、ギアの歯面へ潤滑油を供給することができ、歯面どうしを円滑に摺動させることができる。
特に、ヘルカルギアのギア歯による油の挙動特性を利用すれば、潤滑油を効率よく上方のギアの歯面に供給することができるようになる。
【図面の簡単な説明】
【００１３】
【図１】本発明の実施形態にかかる駆動力伝達ギア装置を有する自動変速機を説明する横断面図である。
【図２】本発明の実施形態にかかる自動変速機の構成図である。
【図３】本発明の実施形態にかかる自動変速機の要部断面図である。
【図４】本発明の実施形態にかかる自動変速機のケース内部の斜視図（トランスミッションケース側から見た斜視図）である。
【図５】本発明の実施形態にかかる自動変速機のケース内部の斜視図（コンバータハウジング側から見た斜視図）である。
【図６】本発明の実施形態にかかる自動変速機のケース内部の１対のヘリカルギアとそれに隣接するギアの断面図である。
【図７】本発明の実施形態にかかる自動変速機のケース内部の１対のヘリカルギアとそれに隣接するギアの斜視断面図である。
【図８】本発明の実施形態にかかる自動変速機のケース内部のギアを示す図であって、（ａ）はギアをギア軸に直行する方向から見た正面図、（ｂ）はヘリカルギアの特徴を示す図である。
【発明を実施するための形態】
【００１４】
以下、図面を参照して、本発明の実施の形態について説明する。なお、以下に示す実施形態はあくまでも例示に過ぎず、以下の実施形態で明示しない種々の変形や技術の適用を排除する意図はない。以下の実施形態の構成は、それらの趣旨を逸脱しない範囲で種々変形して実施することができる。
【００１５】
〔自動変速機の構成〕
図２は、本実施形態にかかる駆動力伝達ギア装置を有し、ベルト式無段変速機として構成された自動変速機２を示す構成図である。図２に示すように、この自動変速機２は、第１軸Ｏ１と、第２軸Ｏ２と、第３軸Ｏ３と、第４軸Ｏ４とを有し、各軸Ｏ１〜Ｏ４にそれぞれ動力伝達要素が装備されている。
【００１６】
第１軸Ｏ１上には、エンジン１と、エンジン１に連結されたロックアップ式トルクコンバータ１１と、このトルクコンバータ１１に連結された前後進切換機構１２と、この前後進切換機構１２に連結されたプライマリプーリ１３とがこの順に配置されている。
【００１７】
第２軸Ｏ２上には、プライマリプーリ１３とベルト１４を介して連結されたセカンダリプーリ１５が配置されている。第３軸Ｏ３上には、セカンダリプーリ１５に駆動連結されるアイドラギア１６が配置されている。第４軸Ｏ４上には、アイドラギア１６に噛合するファイナルギア１７ａを有する差動機構１７が配置されている。
【００１８】
このような４軸から構成された自動変速機２は、コンバータハウジング（第１ケース部材）４と、トランスミッションケース（第２ケース部材）５からなるケース３内に各動力伝達要素が収納、支持される。
【００１９】
コンバータハウジング４内には、トルクコンバータ１１が収容され、コンバータハウジング４とトランスミッションケース５とが結合して形成される空間内には、軸方向でトルクコンバータ１１側に、前後進切換機構１２が収納された第１ケース部３ａと、アイドラギア１６及び差動機構１７が収納された第３ケース部３ｃと、軸方向でトルクコンバータ１１と反対側に、プライマリプーリ１３及びセカンダリプーリ１５が収納された第２ケース部３ｂとが備えられる。
【００２０】
本実施形態にかかる駆動力伝達ギア装置１０は、このような自動変速機２のケース３内に装備される差動機構１７のファイナルギア１７ａとその周辺の構造要素とから構成されている。
【００２１】
差動機構１７は、図２，図３に示すように、アイドラギア１６の出力ギア１６ｃと噛合するファイナルギア１７ａと、ファイナルギア１７ａが結合されデファレンシャルケース１７ｂと、デファレンシャルケース（以下、デフケース）１７ｂ内に装備されデフケース１７ｂと一体に公転するピニオンギア１７ｃと、左右の駆動輪６，６の回転軸６ａ，６ａに連結されたサイドギア１７ｄとを備えている。
【００２２】
左右のサイドギア１７ｄの軸（デフ軸）１７ｅは、それぞれデフケース１７ｂを介してベアリング１８ａ，１８ｂによりケース３に支持されている。したがって、デフケース１７ｂに結合されたファイナルギア１７ａもベアリング１８ａ，１８ｂを介してケース３に支持されている。
【００２３】
ベアリング１８ａ，１８ｂには、テーパローラベアリングが適用され、図３中、右側のサイドギア１７ｄはコンバータハウジング４に第１テーパローラベアリング１８ａによって支持されて、左側のサイドギア１７ｄはトランスミッションケース５に第２テーパローラベアリング１８ｂによって支持されている。
【００２４】
なお、アイドラギア１６は、アイドラ軸１６ａに、入力ギア１６ｂと出力ギア１６ｃとが固設されてなり、入力ギア１６ｂには無段変速機構のセカンダリプーリ１５の回転軸１５ａに固設された出力ギア１５ｂが噛合している。
【００２５】
このような差動機構１７は、コンバータハウジング４とトランスミッションケース５からなるケース３の第３ケース部３ｃ内に収容される。また、ケース３の内部には、軸受部やギアの噛み合い部等の各摺動部に潤滑油を供給するために、潤滑油が貯留されている。
【００２６】
図１は自動変速機２を各軸Ｏ１〜Ｏ４に直交する断面で切って示す横断面図である。図１に示すように、軸Ｏ１〜Ｏ４は互いに隣接、集合するようにコンパクトに配置され、ファイナルギア１７ａの装備された第４軸Ｏ４は鉛直方向最も下部に配置されている。
【００２７】
ケース３の下部には、オイルパン７が装備されている。ケース３の下部のオイルパン７の内部上方に油溜り７ａが形成され、油溜り７ａに潤滑油が貯留されている。この油溜り７ａ内の潤滑油は、オイル吸い口８から図示しないポンプによって吸引され、ケース３内の上部から各潤滑部に供給される。
【００２８】
最も下部に配置されている第４軸Ｏ４に設けられたファイナルギア１７ａは、その下部が油溜り７ａ内に浸漬するように配置されており、油溜り７ａ内の潤滑油の油面が低下しない限り、ファイナルギア１７ａの下部は油中に没している。
【００２９】
このファイナルギア１７ａとケース３との間には、図３〜図６に示すように、一対のバッフルプレート２１，２２から構成されてバッフルプレートセット２０（以下、単に、バッフルプレート２０ともいう）が配置されている。バッフルプレート２０は、ファイナルギア１７ａの回転中心（第４軸）Ｏ４よりも鉛直下方を含む部分的領域であって、回転中心Ｏ４から下方に向かう鉛直線Ｌｖ１を中心に、ファイナルギア１７ａの回転方向の上下流の領域に、ファイナルギア１７ａを囲繞するように配置されている。
【００３０】
〔バッフルプレート〕
バッフルプレート２０は、コンバータハウジング４に支持されたハウジング側バッフルプレート２２（第１バッフルプレート）と、トランスミッションケース５に支持されたミッションケース側バッフルプレート２１（第２バッフルプレート）とから構成されている。
【００３１】
ハウジング側バッフルプレート２２は、図１に示すように、ファイナルギア１７ａ(その一側面１７ａ２)と、これに対向するコンバータハウジング４の内壁面４ａとの間に配置され、正面視が扇形の平板部２２ａと、平板部２２ａの内周側に形成された曲面部２２ｂとを有している。
【００３２】
平板部２２ａは、ファイナルギア１７ａの一側面１７ａ２を覆うように配置され、曲面部２２ｂは、一側面１７ａ２に隣接するデフケース１７ｂを覆うように配置されている。
【００３３】
平板部２２ａ及び曲面部２２ｂも、ファイナルギア１７ａの回転中心Ｏ４の下方の鉛直線Ｌｖ１よりもファイナルギア１７ａの回転方向で中心角９０度だけ上流側のファイナルギア１７ａの回転中心Ｏ４を通る水平線Ｌｈ１付近から、鉛直線Ｌｖ１よりもファイナルギア１７ａの回転方向で中心角９０度だけ下流側のファイナルギア１７ａの回転中心Ｏ４を通る水平線Ｌｈ２よりも更に下流（上方）の、回転中心Ｏ４よりも上方の鉛直線Ｌｖ２に近い領域までに亘って配置されている。
【００３４】
ミッションケース側バッフルプレート２１は、ファイナルギア１７ａ(その他側面１７ａ１)とトランスミッションケース５との間に配置され、正面視が扇形の平板部２１ａと、平板部２１ａの円弧状の外周縁に沿って形成された部分円筒部２１ｂとを有している。
【００３５】
平板部２１ａは、ファイナルギア１７ａの他側面１７ａ１を覆うように、他側面１７ａ１とこれと対向するトランスミッションケース５の内壁面５ａとの間に配置されている。部分円筒部２１ｂは、ファイナルギア１７ａの外周ギア面１７ａ３を覆うように、外周ギア面１７ａ３とこれと対向するトランスミッションケース５の外周壁部の内周面５ｂとの間に配置されている。
【００３６】
平板部２１ａ及び部分円筒部２１ｂは、図１に示すように、ファイナルギア１７ａの回転中心Ｏ４の下方の鉛直線Ｌｖ１よりもファイナルギア１７ａの回転方向で中心角９０度だけ上流側のファイナルギア１７ａの回転中心Ｏ４を通る水平線Ｌｈ１付近から、鉛直線Ｌｖ１よりもファイナルギア１７ａの回転方向で中心角９０度だけ下流側のファイナルギア１７ａの回転中心Ｏ４を通る水平線Ｌｈ２よりも更に下流（上方）の、回転中心Ｏ４よりも上方の鉛直線Ｌｖ２に近い領域までに亘って配置されている。
【００３７】
このように、ファイナルギア１７ａの下部の周囲にバッフルプレート２０を配置することによって、ファイナルギア１７ａの下方に形成されて潤滑油が貯留される油溜り７ａがバッフルプレート２０の内部空間２０ｂと外部空間２０ａとに二分される。
【００３８】
これによって、ケース３内でもバッフルプレート２０の外側の外部空間（バッフルプレート外部空間）２０ａの油溜り７ａ内の潤滑油は攪拌されないため抵抗にならず、ファイナルギア１７ａの周辺で攪拌される潤滑油がバッフルプレート２０の内側の空間に限定されるため、攪拌抵抗が低下することとなる。
【００３９】
なお、バッフルプレート２０は、ファイナルギア１７ａの回転方向（図１の白抜矢印を参照）の下流側では、上流側よりも高い位置まで（ファイナルギア１７ａの回転中心Ｏ４を通る水平線Ｌｈ２よりも更に下流まで）配置されているが、これは、ファイナルギア１７ａの回転に伴って回転方向の下流側で潤滑油の油面が上昇することに対応するためと、後述する目的のためである。
【００４０】
ファイナルギア１７ａの下部には油溜り７ａ内の潤滑油の貯留空間が配置されるため、上述のように、潤滑油の供給不足よりも供給過剰が懸念されるが、ファイナルギア１７ａの上方のギアの場合、潤滑油の供給不足のおそれがある。
【００４１】
本装置では、バッフルプレート２０を利用することにより、ファイナルギア１７ａの直上方の出力ギア１６ｃとの噛合箇所Ｐ２に潤滑油を供給できるように構成している。
【００４２】
また、本装置では、ファイナルギア１７ａとこれに噛み合う出力ギア１６ｃとに、ギア歯１７ｇ，１６ｇが傾斜したヘリカルギア（はすば歯車）が用いられている。そこで、ファイナルギア１７ａについては第１ヘリカルギアとも呼び、出力ギア１６ｃについては第２ヘリカルギアとも呼ぶ。
【００４３】
特に、ファイナルギア１７ａ（第１ヘリカルギア）のギア歯１７ｇは、図６（ａ），（ｂ）に示すように、ファイナルギア１７ａの一側面１７ａ２側の方が他側面１７ａ１側よりも第１ヘリカルギアの回転方向の上流側（図６に示すように、構造上は下側）となるようにねじれ角方向が配向され出力ギア１６ｃよりもハウジング側バッフルプレート２２寄りの入力ギア１６ｂに向かう方向に配向されている。
【００４４】
本装置では、このようなヘリカルギアの特性に着目してバッフルプレート２０を利用することにより、ファイナルギア１７ａの斜め上方の入力ギア１６ｂのギア歯１６０にも潤滑油を供給できるように構成している。
【００４５】
つまり、図４，図５，図８に示すように、ミッションケース側バッフルプレート２１を、潤滑油の油面が上昇することに対応するための位置（一点鎖線で示す位置）Ｐ１よりもさらに下流（上方）側のファイナルギア１７ａの直上方の出力ギア１６ｃとの噛合箇所Ｐ２の近くまで延長して、ガイド部（ケース側ガイド部）２１ｇを形成している。
【００４６】
このガイド部２１ｇは、ミッションケース側バッフルプレート２１の平板部２１ａと部分円筒部２１ｂとの双方に形成され、ファイナルギア１７ａの回転時にギア歯１７ｇと共に移動する油を噛合箇所Ｐ２の近くまで案内する。
【００４７】
また、図４，図５に示すように、ハウジング側バッフルプレート２２を、ケース側ガイド部２１ｇに対応させて潤滑油の油面が上昇することに対応するための位置Ｐ１よりもさらに回転方向の下流（構造上は上方）側に延長して、ガイド部（ハウジング側ガイド部）２２ｇを形成している。
【００４８】
図６，図７に示すように、入力ギア１６ｂは、ファイナルギア１７ａ（第１ヘリカルギア）と軸方向（軸方向視）において部分的にオーバーラップしており、この入力ギア１６ｂの出力ギア１６ｃ及びファイナルギア１７ａに対向する対向面（軸方向の側面）１６ｆには、凹部１６２が形成されている。
【００４９】
凹部１６２は、滑らかな環状曲面で形成され、ファイナルギア１７ａと出力ギア１６ｃとの噛合箇所Ｐ２に開口している。
さらに、この凹部１６２からその外側の入力ギア１６ｂのギア歯１６０の歯面１６１まで貫通する貫通孔１６３が形成されている。貫通孔１６３は歯面１６１の歯底（谷部）に開口している。
【００５０】
このように、噛合箇所Ｐ２に開口する凹部１６２を形成しているのは、図８（ａ），（ｂ）に示すように、ファイナルギア１７ａが矢印Ａ１方向に回転するときに、ギア歯１７ｇと共に移動する油は、矢印Ａ２で示すように、ギア歯１７ｇのねじれ方向に向かう特性があるという知見に基づいている。つまり、ギア歯１７ｇのねじれ方向に位置する入力ギア１６ｂに油を案内するためである。
【００５１】
ヘリカルギアのねじれ方向については、図８（ａ），（ｂ）に示すように、ギア歯の進行方向Ａ１に対して、歯の左側が進行方向Ａ１の側に歯の右側が進行方向Ａ１の逆側になるように傾斜している場合は、ねじれ方向は右方向となり、これと逆に、歯の左側が進行方向Ａ１の逆側に歯の右側が進行方向Ａ１の側になるように傾斜している場合は、ねじれ方向は左方向となる。
【００５２】
したがって、噛合箇所Ｐ２の近傍では、ギア歯１７ｇのねじれ方向（図８（ａ），（ｂ）に示す場合、ギア歯１７ｇの進行方向に向かって右方向）に位置する入力ギア１６ｂの凹部１６２に油が向かうことになる。
【００５３】
〔作用及び効果〕
本実施形態にかかる駆動力伝達ギア装置は、上述のように構成されているので、以下のような作用及び効果を得ることができる。
【００５４】
バッフルプレート２０によって、油溜り７ａをバッフルプレート２０の内外に二分することで、バッフルプレート外部空間２０ａの油の撹拌を抑制することができ、撹拌抵抗を低減することができる。
【００５５】
また、バッフルプレート２０は、ファイナルギア１７ａの回転方向の下流側では、水平線Ｌｈ２よりも更に下流まで配置されているので、ファイナルギア１７ａの回転に伴って回転方向の下流側で潤滑油の油面が上昇しても、バッフルプレート２０の内部空間２０ｂへの油の進入を抑制することができる。
【００５６】
バッフルプレート２０の上方（水平線Ｌｈ２よりもより一層下流）には、ガイド部２１ｇ，２２ｇが設けられているので、潤滑油をファイナルギア１７ａと出力ギア１６ｃとの噛合箇所Ｐ２や、噛合箇所Ｐ２の側方の入力ギア１６ｂの凹部１６２にも積極的に供給することができる。
【００５７】
ファイナルギア１７ａが回転すると、そのギア歯１７ｇと共に移動する油は遠心力を受けるため、ギア歯１７ｇから離隔する方向に飛散しやすい。しかし、このギア歯１７ｇと共に移動する油は、ガイド部２１ｇ，２２ｇによって飛散を防止され、ギア歯１７ｇとガイド部２１ｇの内側面との間を回転方向に移動する。
【００５８】
ガイド部２１ｇ，２２ｇは、ファイナルギア１７ａの直上方の出力ギア１６ｃとの噛合箇所Ｐ２の近くまで延びているので、油は噛合箇所Ｐ２に供給されて、その潤滑に寄与する。
【００５９】
また、図８（ａ），（ｂ）に示すように、ファイナルギア１７ａが矢印Ａ１方向に回転すると、ギア歯１７ｇと共に移動する油は矢印Ａ２で示すようにギア歯１７ｇのねじれ方向に向かう。
【００６０】
噛合箇所Ｐ２で油が矢印Ａ２で示すように向かうと、油は入力ギア１６ｂの凹部１６２に捉えられる。凹部１６２の油は遠心力で貫通孔１６３から歯面１６１に向かって移動し、歯面１６１を潤滑する。こうして、ヘルカルギアのギア歯による油の挙動特性を利用して、潤滑油を効率よく上方のギア１６ｂのギア歯１６０の歯面１６１に供給することができ、歯面１６１とこれに噛合するギア歯の歯面とが円滑に摺動する。なお、貫通孔１６３は歯面１６１の歯底に開口しているので、貫通孔１６３を形成することによる歯面１６１への影響は抑えられる。
【００６１】
このように、入力ギア１６ｂのギア歯１６０の歯面１６１やファイナルギア１７ａと出力ギア１６ｃとの噛合箇所Ｐ２への潤滑油の供給が促進されるので、これらの部分の潤滑性が向上し、駆動力伝達ギア装置１０及び自動変速機２の性能向上に寄与する。
【００６２】
〔その他〕
以上、本発明の実施形態を説明したが、本発明は、これらの実施形態に限定されず、本発明の趣旨を逸脱しない範囲で種々変形して実施することができる。
【００６３】
例えば、上記実施形態では、ギア（入力ギア１６ｂ）がスパイラルギア（ファイナルギア１７ａ）から油を受けるものを説明したが、軸方向の側面に、潤滑油が供給される凹部を設け、この凹部からギアの歯面まで貫通する貫通孔を設ける構成は、種々の態様で適用できるものである。つまり、凹部への潤滑油の供給は、回転するスパイラルギアから行うものに限らず、他の手法によって凹部への潤滑油の供給を行ってもよい。
また、上記実施形態では、差動機構１７のファイナルギア１７ａを例示したが、本発明はファイナルギア１７ａに限らずバッフルプレートを用いた種々のギアに適用しうる。
【符号の説明】
【００６４】
１  エンジン
２  自動変速機（ベルト式無段変速機）
３  ケース
４  コンバータハウジング（第１ケース部材）
５  トランスミッションケース（第２ケース部材）
６  駆動輪
７  オイルパン
７ａ  油溜り
８  オイル吸い口
１０  駆動力伝達ギア装置
１１  ロックアップ式トルクコンバータ
１２  前後進切換機構
１３  プライマリプーリ
１４  ベルト
１５  セカンダリプーリ
１６  アイドラギア
１６ｂ  入力ギア（発明対象のギア）
１６０  入力ギア１６ｂのギア歯
１６１  ギア歯１６０の歯面
１６２  凹部
１６３  貫通孔
１６ｃ  出力ギア（第２ヘリカルギア）
１６ｇ  出力ギア１６ｃのギア歯
１７  差動機構
１７ａ  ファイナルギア（第１ヘリカルギア）
１７ｂ  デファレンシャルケース
１７ｇ  ギア歯
１８ａ  第１ベアリング（第１テーパローラベアリング）
１８ｂ  第２ベアリング（第２テーパローラベアリング）
２０  バッフルプレート
２０ａ  バッフルプレート外部空間
２０ｂ  バッフルプレート内部空間
２１  ミッションケース側バッフルプレート
２２  ハウジング側バッフルプレート  ２１ｄ，２２ｄ  凹部
２１ｊ，２２ｊ  屈曲部
２１ｇ，２２ｇ  ガイド部
Ａ１  ファイナルギア（第１ヘリカルギア）１７ａの回転方向
Ａ２  ファイナルギア（第１ヘリカルギア）１７ａによる油の移動方向
Ｌｖ１，Ｌｖ２  鉛直線
Ｌｈ１，Ｌｈ２  水平線
Ｏ４  第４軸（ファイナルギア１７ａの回転中心）
【図１】
2019015306.tif 000003
【図２】
2019015306.tif 000004
【図３】
2019015306.tif 000005
【図４】
2019015306.tif 000006
【図５】
2019015306.tif 000007
【図６】
2019015306.tif 000008
【図７】
2019015306.tif 000009
【図８】
2019015306.tif 000010